(57)【特許請求の範囲】
【請求項１】
筒状の外筒部材と、この外筒部材の下部を回動可能に覆うハカマ部材と、この外筒部材とハカマ部材を回動させることによって外筒部材内に収納された口紅等の棒状化粧品を外筒部材の上端部より出没可能とする上下移動機構と、上部に蓋嵌合部が形成され外筒部材に形成された膨出係止部を係止することによって外筒部材をハカマ部材より抜け出し不能に係止する係止部が形成されハカマ部材に螺合された蓋嵌合部材とから構成される口紅等の収納容器において、前記ハカマ部材と蓋嵌合部材の螺合を解除した場合には外筒部材をハカマ部材より離脱することが可能に形成した口紅等の収納容器。
【請求項２】
筒状の外筒部材と、この外筒部材の下端部に回動可能に取り付けられた内筒部材と、この外筒部材と内筒部材を回動させることによって外筒部材内に収納された口紅等の棒状化粧品を外筒部材の上端部より出没可能とする上下移動機構から構成されるカートリッジ体と、このカートリッジ体の下部を覆い前記内筒部材を回動不能に係止するハカマ部材と、上部に蓋嵌合部が形成されカートリッジ体に形成された膨出係止部を係止することによってカートリッジ体をハカマ部材より抜け出し不能に係止する係止部が形成されハカマ部材に螺合された蓋嵌合部材とから構成される口紅等の収納容器において、前記ハカマ部材と嵌合部材の螺合を解除した場合にはカートリッジ体をハカマ部材より離脱することが可能に形成した口紅等の収納容器。
【発明の詳細な説明】
【０００１】
【産業上の利用分野】
本発明は口紅等の棒状化粧料を収納する収納容器に関するものである。
【０００２】
【従来の技術】
従来の口紅等の収納容器は筒状の外筒部材と、この外筒部材の下部を回動可能に覆うハカマ部材と、この外筒部材とハカマ部材を回動させることによって外筒部材内に収納された口紅等の棒状化粧品を外筒部材の上端部より出没可能とする上下移動機構と、上部に蓋嵌合部が形成され外筒部材に形成された膨出係止部を係止することによって外筒部材をハカマ部材より抜け出し不能に係止する係止部が形成されハカマ部材に固定された蓋嵌合部材とから構成されていた。
【０００３】
【本発明が解決しようとする課題】
従来の口紅等の収納容器ではハカマ部材と蓋嵌合部材の固定には圧入あるいは接着剤が使用されていたので、収納容器を容易に分解することはできないという欠点があった。
【０００４】
そのため口紅を充填する際に充填した口紅が不良品であったりした場合にはその口紅を取り外して収納容器の内部、特に外筒部材の内面を掃除することが難しく、容器ごと廃棄しなければならず、不経済であった。
【０００５】
さらに廃棄する場合にもハカマ部材、蓋嵌合部材、外筒部材が異材質であった場合には分別することが難しく、リサイクルすることもできなかった。
【０００６】
本発明は以上のような従来の口紅等の収納容器の欠点に鑑み、蓋嵌合部材とハカマ部材を容易に分解することができ、それによって外筒部材あるいはカートリッジ体をハカマ部材より離脱させることのできる口紅等の収納容器を提供することを目的としている。
【０００７】
【課題を解決するための手段】
上記課題を解決するため、本発明は上部に蓋嵌合部が形成され外筒部材に形成された膨出係止部を係止することによって外筒部材をハカマ部材より抜け出し不能に係止する係止部が形成された蓋嵌合部材をハカマ部材に螺合するという手段を用いている。
【０００８】
【作用】
蓋嵌合部材とハカマ部材の螺合を解除することによって外筒部材あるいはカートリッジ体を容易にハカマ部材より離脱することができるように作用している。
【０００９】
【発明の実施例】
以下、図面に示す実施例により本発明を詳細に説明する。
【００１０】
図１ないし図３に示す発明の第１の実施例において、１は外筒部材で、この外筒部材１は上端開口の筒状で下部に軸心方向の切り割り７が成形され、内部には口紅２を保持した中皿３を上下移動可能に収納している。
【００１１】
４は前記外筒部材の下部を回動可能に覆うハカマ部材で、このハカマ部材４の内面にはラセン溝５が形成されている。
【００１２】
６は前記中皿に形成された係合ピンで、この係合ピン６は外筒部材１の下部に形成された軸心方向の切り割り７及びハカマ部材４のラセン溝５と係合し、外筒部材１とハカマ部材４を回動させることによって中皿３を上下移動させることができる上下移動機構８を形成し、それによって口紅２を外筒部材１の上端部より出没可能としている。
【００１３】
９は蓋嵌合部材で、この蓋嵌合部材９は上部に蓋１０と着脱自在に嵌合する嵌合部１１が形成され、下部には前記ハカマ部材４の上部に形成されたメネジ１２と螺合することのできるオネジ１３が形成されている。
【００１４】
１４は前記外筒部材１に形成された膨出係止部で、この膨出係止部１４は外筒部材１の外周部に膨出するように形成され、ハカマ部材４と蓋嵌合部材９を螺合させた場合には蓋嵌合部材９の下部に形成された係止部１５によって係止され、外筒部材１をハカマ部材４より抜け出し不能としている。
【００１５】
このように形成された口紅等の収納容器１６は通常時にはハカマ部材４と蓋嵌合部材９が螺合されているので外筒部材１がハカマ部材４より離脱してしまうことはないが、ハカマ部材４と蓋嵌合部材９の螺合を解除した場合には外筒部材１をハカマ部材４より容易に離脱させることができる。
【００１６】
【発明の異なる実施例】
次に本発明の異なる実施例につき説明する。なお、これらの説明にあたって前記発明の第１の実施例と同一構成部分には同一符号を付して重複する説明を省略する。
【００１７】
図４ないし図６に示す第２の実施例において、前記発明の第１の実施例と主に異なる点は、上下移動機構８Ａで、この上下移動機構８Ａは外筒部材１の下部に回動自在に挿入された内筒部材１７と、この内筒部材１７に立設されたネジ棒１８と、中皿３Ａの下部内面の前記ネジ棒１８と噛み合う位置に形成された係合メネジ１９と、外筒部材１の下部に形成された軸心方向の切り割り７と係合する中皿３Ａに形成された係合ピン６Ａより構成されている。
【００１８】
このように上下移動機構８Ａを構成する外筒部材１，中皿３Ａ、内筒部材１７をカートリッジ体２０として、外筒部材１と内筒部材１７を回動させることによって外筒部材１内に収納された口紅等の棒状化粧品を外筒部材１の上端部より出没させることができ、さらに内筒部材１７の底部はハカマ部材４の内部に、軸心方向のローレットなどによって抜け出し可能ではあるが回動不能に係止される。
【００１９】
このように構成された口紅等の収納容器１６Ａとしてもハカマ部材４と蓋嵌合部材９の螺合を解除した場合にカートリッジ体２０Ｂをハカマ部材４より離脱させることができ、さらに外筒部材１と内筒部材１７を分離させることができる。
【００２０】
図７ないし図９に示す第３の実施例において、前記発明の第２の実施例と主に異なる点は膨出係止部１４Ｂで、この膨出係止部１４Ｂは内筒部材１７Ｂに形成され、蓋嵌合部材９の係止部１５によって膨出係止部１４Ｂは係止され、ハカマ部材４と蓋嵌合部材９の螺合を解除した場合にカートリッジ体２０Ｂをハカマ部材４より離脱させることができ、さらに外筒部材１と内筒部材１７を分離させることができるものであり、このような構造とした口紅等に収納容器１６Ｂとしても良い。
【００２１】
なお、本発明において使用される上下移動機構は上記で説明したものに限らず、従来から知られている機構であれば何でも良い。
【００２２】
【発明の効果】
本発明は、以上説明したように構成されているので、以下に記載されるような効果を奏する。
【００２３】
（１）容器の組立をする際にハカマ部材と蓋嵌合部材の固定に圧入あるいは接着剤を使用することが無く、収納容器を容易に分解することができる。
【００２４】
（２）充填した口紅が不良品であった場合でも容易に収納容器の内部を掃除することができ、容器を廃棄することがないので経済的となる。
【００２５】
（３）廃棄が必要な場合でも収納容器が分解でき、材質ごとに分別できるのでリサイクルもやりやすくなる。
【図面の簡単な説明】
【図１】発明の第１の実施例を示す断面図である。
【図２】発明の第１の実施例の外筒部材を取り外した状態の説明図である。
【図３】発明の第１の実施例の各部材の斜視図である。
【図４】発明の第２の実施例を示す断面図である。
【図５】発明の第２の実施例のカートリッジ体を取り外した状態の説明図である。
【図６】発明の第２の実施例の各部材の斜視図である。
【図７】発明の第３の実施例を示す断面図である。
【図８】発明の第３の実施例のカートリッジ体を取り外した状態の説明図である。
【図９】発明の第３の実施例の各部材の斜視図である。
【符号の説明】
１：外筒部材
２：口紅
３、３Ａ：中皿
４：ハカマ部材
５：ラセン溝
６、６Ａ：係合ピン
７：切り割り
８、８Ａ：上下移動機構
９：蓋嵌合部材
１０：蓋
１１：嵌合部
１２：メネジ
１３：オネジ
１４、１４Ｂ：膨出係止部
１５：係止部
１６、１６Ａ、１６Ｂ：口紅等の収納容器
１７、１７Ｂ：内筒部材
１８  ネジ棒
１９  係合メネジ
２０、２０Ｂ：カートリッジ体
【図１】
0003865153.tif 000002
【図２】
0003865153.tif 000003
【図３】
0003865153.tif 000004
【図４】
0003865153.tif 000005
【図５】
0003865153.tif 000006
【図６】
0003865153.tif 000007
【図７】
0003865153.tif 000008
【図８】
0003865153.tif 000009
【図９】
0003865153.tif 000010